(57)【要約】  本発明は、ガラス及び裏蓋を備えるケース（２）を含む電子デバイス（１）に関する。上記電子デバイスは、現在時刻を計算するよう、複数の機能を実行するよう、並びにガラスの下側に配置された表示手段（３）に現在時刻及び上記複数の機能に関する情報を提供するよう配設された、少なくとも１つの電子モジュール（６）を含む。この電子デバイスは、ユーザが上記少なくとも１つの電子モジュールに作用できるようにする少なくとも１つの接触領域（Ｐ１）を備える制御手段（５）を含み、上記少なくとも１つの接触領域はある走査周波数において電子モジュールによって監視される。【選択図】図１
2016524692.tif 000002
【特許請求の範囲】
【請求項１】
ガラス及び裏蓋を備えるケース（２）を含む、電子デバイス（１）であって、
前記電子デバイスは、現在時刻を計算するよう、複数の機能を実行するよう、並びに前記ガラスの下側に配置された表示手段（３）に前記現在時刻及び前記複数の機能に関する情報を提供するよう配設された、少なくとも１つの電子モジュール（６）を含み、
前記電子デバイスは、ユーザが前記少なくとも１つの電子モジュールに作用できるようにする少なくとも１つの接触領域（Ｐ１）を備える制御手段（５）を含み、
前記少なくとも１つの接触領域は、ある走査周波数において前記電子モジュールによって監視される、電子デバイス（１）において、
前記電子デバイスは、前記電子モジュールが、前記現在時刻が表示され、前記少なくとも１つの接触領域が第１の走査周波数（ｆ１）において監視され、第１の動作モードにおいて動作するよう、及び前記ユーザが前記機能を起動でき、前記少なくとも１つの接触領域は前記第１の走査周波数より高い第２の走査周波数（ｆ２）において監視される、第２の動作モードにおいて動作するよう、配設されることを特徴とする、電子デバイス（１）。
【請求項２】
前記制御手段（５）は、少なくとも２つの接触領域（Ｐ１、Ｐ２）を含むことを特徴とする、請求項１に記載の電子デバイス。
【請求項３】
前記第１の動作モードから前記第２の動作モードへの変更は、前記少なくとも１つの接触領域に対する接触によって達成されることを特徴とする、請求項１又は２に記載の電子デバイス。
【請求項４】
前記制御手段（５）は３つの接触領域（Ｐ１、Ｐ２、Ｐ３）を含むことを特徴とする、請求項１に記載の電子デバイス。
【請求項５】
前記第１の動作モードから前記第２の動作モードへの変更は、前記少なくとも２つの接触領域のうちの２つに対する接触を検出することによって達成されることを特徴とする、請求項１に記載の電子デバイス。
【請求項６】
前記第１の走査周波数は１Ｈｚ〜６Ｈｚの範囲に含まれることを特徴とする、請求項１〜５のいずれか１項に記載の電子デバイス。
【請求項７】
前記第１の走査周波数は２Ｈｚであることを特徴とする、請求項６に記載の電子デバイス。
【請求項８】
前記第２の走査周波数は３０Ｈｚ〜１００Ｈｚの範囲に含まれることを特徴とする、請求項１〜５のいずれか１項に記載の電子デバイス。
【請求項９】
前記第２の走査周波数は６４Ｈｚであることを特徴とする、請求項８に記載の電子デバイス。
【請求項１０】
前記デバイスは腕時計であることを特徴とする、請求項１に記載の電子デバイス。
【発明の詳細な説明】
【技術分野】
【０００１】
本発明は、ガラス及び裏蓋を備えるケースを含む電子デバイスに関し、上記電子デバイスは、複数の機能を実行できるよう、及びこれら機能に関する情報をガラスの下側に配置された表示手段に提供できるよう配設された少なくとも１つの電子モジュールと、上記少なくとも１つの電子デバイスに作用するためにユーザが押圧できる少なくとも２つの接触領域を含む制御手段とを含む。
【背景技術】
【０００２】
デバイスの様々な機能を起動するために使用されるＬＣＤタッチスクリーンを含む、公知の電子デバイスが存在する。
【０００３】
例えば、タッチキーとして作用する容量電極を下面上に有する所謂タッチガラスを含む腕時計が公知である。このようなキーは、従来のプッシュピースによって起動される。タッチキーのこの起動は、タッチキーを走査することからなる。これは、押下、即ち静電容量の変動が存在するかどうかを確認するために、各キーが特定の周波数において監視されることを意味する。６４Ｈｚオーダーの高い走査周波数を用いて、異なる複数の押下及び異なる複数のタッチ操作を検出する。続いてユーザは容量電極の位置をタッチして、所望の機能を起動する。
【０００４】
本方法の１つの欠点は、ユーザが、機能を選択する前にタッチキーを事前起動しなければならず、従ってこれは追加の操作を必要とすることである。更にこの構成は、機能を起動するためのキーを必要とし、これは結果としてデバイスが有することができる機能の数を制限する。
【０００５】
タッチスクリーンを備える電子デバイスも公知である。このタッチスクリーンは、ユーザが電子タッチデバイスをいつでも操作できるように、恒常的に起動される。これは、全てのタッチキーが高い周波数で走査されることを意味する。これは操作中のユーザには便利であるが、この構成は大量のエネルギを消費するという欠点も有する。実際、この恒常的な走査は、タッチディスプレイを制御するマイクロプロセッサ又はマイクロコントローラの連続的な使用を必要とする。これは高い電力消費につながる。
【発明の概要】
【発明が解決しようとする課題】
【０００６】
本発明の目的は、良好な使用快適性を提供するが電気的エネルギ効率は良いままである電子デバイスを提供することを提案することにより、従来技術の欠点を克服することである。
【課題を解決するための手段】
【０００７】
この目的のために、本発明は、ガラス及び裏蓋を備えるケースを含む電子デバイスに関する。上記電子デバイスは、現在時刻を計算するよう、複数の機能を実行するよう、並びにガラスの下側に配置された表示手段に現在時刻及び上記複数の機能に関する情報を提供するよう配設された、少なくとも１つの電子モジュールを含む。この電子デバイスは、ユーザが上記少なくとも１つの電子モジュールに作用できるようにする少なくとも１つの接触領域を備える制御手段を含み、この少なくとも１つの接触領域は、ある走査周波数において電子モジュールによって監視される。この電子デバイスは、電子モジュールが、現在時刻が表示され、少なくとも１つの接触領域が第１の走査周波数において監視され、第１の動作モードにおいて動作するよう、及びユーザが機能を起動でき、少なくとも１つの接触領域は第１の走査周波数より高い第２の走査周波数において監視される、第２の動作モードにおいて動作するよう、配設されることを特徴とする。
【０００８】
第１の有利な実施形態では、制御手段は少なくとも２つの接触領域を含む。
【０００９】
第２の有利な実施形態では、第１の動作モードから第２の動作モードへの変更は、少なくとも１つの接触領域に対する接触によって達成される。
【００１０】
第３の有利な実施形態では、制御手段は３つの接触領域を含む。
【００１１】
第４の有利な実施形態では、第１の動作モードから第２の動作モードへの変更は、少なくとも２つの接触領域のうちの２つに対する接触を検出することによって達成される。
【００１２】
別の有利な実施形態では、第１の走査周波数は１Ｈｚ〜６Ｈｚの範囲に含まれる。
【００１３】
別の有利な実施形態では、第１の走査周波数は２Ｈｚである。
【００１４】
別の有利な実施形態では、第２の走査周波数は３０Ｈｚ〜１００Ｈｚの範囲に含まれる。
【００１５】
別の有利な実施形態では、第２の走査周波数は６４Ｈｚである。
【００１６】
別の有利な実施形態では、上記デバイスは腕時計である。
【００１７】
本発明による電子装置の目的、利点及び特徴は、単に非限定的な例として挙げられた、添付の図面によって例示される本発明の少なくとも１つの実施形態の以下の詳細な説明において、より明らかになるであろう。
【図面の簡単な説明】
【００１８】
【図１】図１は、本発明による電子デバイスの上面図を示す。
【図２】図２は、本発明による電子デバイスの制御のステップの図である。
【図３】図３は、本発明による電子デバイスの概略図である。
【発明を実施するための形態】
【００１９】
図１、３は、本発明による携帯物１を示す。この携帯物は、腕時計又は電話又はコンピュータ又はタッチタブレット又はいずれの他のタッチデバイスであってよい、電子デバイスである。このデバイスは、ガラス及び裏蓋を備えるケース２を含む。電子デバイスは更に、少なくとも１つの電子モジュール６を含む。この電子モジュール６は、複数の機能を実行するよう、及びガラスの下側に配置された表示手段３に上記複数の機能に関する情報を提供するよう配設される。電子モジュール６は、タイムベース６２、メモリ６４、時間、圧力、温度関連情報を提供するための様々なセンサ６３と協働する、マイクロコントローラ６１を含んでよい。
【００２０】
腕時計内で、電子モジュール６は、通常動作モードにおいて現在時刻を表示するよう配設される。更なる動作モードにおいて電子モジュールは、ユーザが所望の機能を選択することによって、利用可能な機能のうちの１つを実行するよう配設される。
【００２１】
制御手段４は、上記電子デバイスを制御するよう配設される。これら制御手段４は、ガラス上、又はケース２内に配設される。制御手段４はタッチ制御手段５であり、即ちこれらはユーザの指の動作に反応する。これらタッチ制御手段５は容量性であり、即ちガラスの下側又はケース２の下に電極が配置される。電極の位置における、ガラス又はケース２に対するユーザの指の接触は、静電容量の変動を引き起こす。静電容量のこの変動は、電子モジュールによって検出及び解釈される。
【００２２】
本発明による携帯物において、制御手段５は、タッチキーとも呼ばれる少なくとも１つの接触領域Ｐ１を含み、ユーザはこれを用いて接触を行い、上記少なくとも１つの電子デバイスに作用できる。好ましくは、制御手段は少なくとも２つの接触領域を含み、更に好ましくは、３つの接触領域Ｐ１、Ｐ２、Ｐ３を含む。
【００２３】
有利には、本発明は、タッチ制御手段５の使用がユーザにとって便利でありかつ電気的に効率的であることを提供する。
【００２４】
これを達成するために、電子モジュール６は、図２に見られるような２つの異なる動作モードにおいて動作するよう配設される。電子モジュール６は、現在時刻が表示される第１の、所謂通常動作モード、及びユーザがデバイスの様々な機能を起動できる第２の、所謂機能動作モードにおいて動作するよう配設される。
【００２５】
第１の動作モードにおいて、電子モジュール６は、タッチキーを第１の周波数ｆ１において走査する。この周波数は好ましくは、１〜６Ｈｚの範囲となるよう選択される。好ましくは、２Ｈｚの周波数が選択される。この周波数は低く、従って極めて僅かな電気的エネルギしか使用しない。
【００２６】
この第１の動作モードにおいて、アクティブな機能は現在時刻機能のみであるため、他の機能を選択及び起動できない。よってタッチキーに対する複雑な操作は不要である。よってこの第１の周波数ｆ１は、第１の動作モードから第２の動作モードへの変更のために使用される。
【００２７】
第２の動作モードに変更するためには、タッチキーのうちの少なくとも１つに対する接触を検出するだけでよい。この接触は、タップ又は軽いタッチであってよい。１回の接触しか必要でないため、これは高い走査周波数を必要とせず、低い走査周波数はこのような接触を検出するのに十分である。１つ又は２つのタッチキーとの接触が存在する場合、電子モジュール６はこの接触を検出し、第１の動作モードから第２の動作モードへの変更を開始することが理解される。
【００２８】
電子デバイスの他の機能を起動するための第２の動作モードは、第２の走査周波数ｆ２を特徴とする。この第２の走査周波数ｆ２は、第１の動作モードの走査周波数である第１の走査周波数ｆ１より高くなるよう選択される。
【００２９】
好ましくは、この第２の走査周波数ｆ２は、３０〜１００Ｈｚの範囲内となるよう選択され、好ましくはこの周波数は６４Ｈｚである。
【００３０】
この第２の走査周波数ｆ２は、異なる複数のタッチキーを次々と起動する指又は迅速な複数の押下の検出といった、複雑な動作を可能としなければならないため、高い。
【００３１】
実際、「スライディング（ｓｌｉｄｉｎｇ）」としても公知である、異なる複数のキーの連続的な起動といった複雑な操作の間、ユーザの指によるタッチキーに対する２回の接触の間の時間間隔は比較的短い。従って、押下の検出は確実でなければならない。走査周波数の増大により、タッチキーの２つの静電容量の監視による確認の間の時間が削減される。このように２つの監視による確認の間の時間が削減されることにより、エラーのリスクを低下させながら、迅速な複数の押下の検出をより容易にする。
【００３２】
その結果として、電子モジュールは、電力消費を制限しながら恒常的に起動される表示スクリーンを提供することにより、電力消費及びユーザの快適性を最適化する。
【００３３】
添付の請求項によって定義される本発明の範囲を逸脱することなく、上述した本発明の様々な実施形態に対して、当業者には明らかな様々な変更及び／又は改良及び／又は組み合わせを行ってよいことは明らかだろう。
【図１】
2016524692.tif 000003
【図２】
2016524692.tif 000004
【図３】
2016524692.tif 000005
【手続補正書】
【提出日】平成27年12月1日(2015.12.1)
【手続補正１】
【補正対象書類名】明細書
【補正対象項目名】全文
【補正方法】変更
【補正の内容】
【発明の詳細な説明】
【技術分野】
【０００１】
本発明は、ガラス及び裏蓋を備えるケースを含む電子デバイスに関し、上記電子デバイスは、複数の機能を実行できるよう、及びこれら機能に関する情報をガラスの下側に配置された表示手段に提供できるよう配設された少なくとも１つの電子モジュールと、上記少なくとも１つの電子デバイスに作用するためにユーザが押圧できる少なくとも２つの接触領域を含む制御手段とを含む。
【背景技術】
【０００２】
デバイスの様々な機能を起動するために使用されるＬＣＤタッチスクリーンを含む、公知の電子デバイスが存在する。
【０００３】
例えば、タッチキーとして作用する容量電極を下面上に有する所謂タッチガラスを含む腕時計が公知である。このようなキーは、従来のプッシュピースによって起動される。タッチキーのこの起動は、タッチキーを走査することからなる。これは、押下、即ち静電容量の変動が存在するかどうかを確認するために、各キーが特定の周波数において監視されることを意味する。６４Ｈｚオーダーの高い走査周波数を用いて、異なる複数の押下及び異なる複数のタッチ操作を検出する。続いてユーザは容量電極の位置をタッチして、所望の機能を起動する。
【０００４】
本方法の１つの欠点は、ユーザが、機能を選択する前にタッチキーを事前起動しなければならず、従ってこれは追加の操作を必要とすることである。更にこの構成は、機能を起動するためのキーを必要とし、これは結果としてデバイスが有することができる機能の数を制限する。
【０００５】
タッチスクリーンを備える電子デバイスも公知である。このタッチスクリーンは、ユーザが電子タッチデバイスをいつでも操作できるように、恒常的に起動される。これは、全てのタッチキーが高い周波数で走査されることを意味する。これは操作中のユーザには便利であるが、この構成は大量のエネルギを消費するという欠点も有する。実際、この恒常的な走査は、タッチディスプレイを制御するマイクロプロセッサ又はマイクロコントローラの連続的な使用を必要とする。これは高い電力消費につながる。
【発明の概要】
【発明が解決しようとする課題】
【０００６】
本発明の目的は、良好な使用快適性を提供するが電気的エネルギ効率は良いままである電子デバイスを提供することを提案することにより、従来技術の欠点を克服することである。
【課題を解決するための手段】
【０００７】
この目的のために、本発明は、ガラス及び裏蓋を備えるケースを含む電子デバイスに関する。上記電子デバイスは、現在時刻を計算するよう、複数の機能を実行するよう、並びにガラスの下側に配置された表示手段に現在時刻及び上記複数の機能に関する情報を提供するよう配設された、少なくとも１つの電子モジュールを含む。この電子デバイスは、ユーザが上記少なくとも１つの電子モジュールに作用できるようにする少なくとも１つの接触領域を備える制御手段を含み、この少なくとも１つの接触領域は、ある走査周波数において電子モジュールによって監視される。この電子デバイスは、電子モジュールが、現在時刻が表示され、少なくとも１つの接触領域が第１の走査周波数において監視され、上記第１の走査周波数はゼロでない、第１の動作モードにおいて動作するよう、及びユーザが機能を起動でき、少なくとも１つの接触領域は第１の走査周波数より高い第２の走査周波数において監視される、第２の動作モードにおいて動作するよう、配設されることを特徴とする。
【０００８】
第１の有利な実施形態では、制御手段は少なくとも２つの接触領域を含む。
【０００９】
第２の有利な実施形態では、第１の動作モードから第２の動作モードへの変更は、少なくとも１つの接触領域に対する接触によって達成される。
【００１０】
第３の有利な実施形態では、制御手段は３つの接触領域を含む。
【００１１】
第４の有利な実施形態では、第１の動作モードから第２の動作モードへの変更は、少なくとも２つの接触領域のうちの２つに対する接触を検出することによって達成される。
【００１２】
別の有利な実施形態では、第１の走査周波数は１Ｈｚ〜６Ｈｚの範囲に含まれる。
【００１３】
別の有利な実施形態では、第１の走査周波数は２Ｈｚである。
【００１４】
別の有利な実施形態では、第２の走査周波数は３０Ｈｚ〜１００Ｈｚの範囲に含まれる。
【００１５】
別の有利な実施形態では、第２の走査周波数は６４Ｈｚである。
【００１６】
別の有利な実施形態では、上記デバイスは腕時計である。
【００１７】
本発明による電子装置の目的、利点及び特徴は、単に非限定的な例として挙げられた、添付の図面によって例示される本発明の少なくとも１つの実施形態の以下の詳細な説明において、より明らかになるであろう。
【図面の簡単な説明】
【００１８】
【図１】図１は、本発明による電子デバイスの上面図を示す。
【図２】図２は、本発明による電子デバイスの制御のステップの図である。
【図３】図３は、本発明による電子デバイスの概略図である。
【発明を実施するための形態】
【００１９】
図１、３は、本発明による携帯物１を示す。この携帯物は、腕時計又は電話又はコンピュータ又はタッチタブレット又はいずれの他のタッチデバイスであってよい、電子デバイスである。このデバイスは、ガラス及び裏蓋を備えるケース２を含む。電子デバイスは更に、少なくとも１つの電子モジュール６を含む。この電子モジュール６は、複数の機能を実行するよう、及びガラスの下側に配置された表示手段３に上記複数の機能に関する情報を提供するよう配設される。電子モジュール６は、タイムベース６２、メモリ６４、時間、圧力、温度関連情報を提供するための様々なセンサ６３と協働する、マイクロコントローラ６１を含んでよい。
【００２０】
腕時計内で、電子モジュール６は、通常動作モードにおいて現在時刻を表示するよう配設される。更なる動作モードにおいて電子モジュールは、ユーザが所望の機能を選択することによって、利用可能な機能のうちの１つを実行するよう配設される。
【００２１】
制御手段４は、上記電子デバイスを制御するよう配設される。これら制御手段４は、ガラス上、又はケース２内に配設される。制御手段４はタッチ制御手段５であり、即ちこれらはユーザの指の動作に反応する。これらタッチ制御手段５は容量性であり、即ちガラスの下側又はケース２の下に電極が配置される。電極の位置における、ガラス又はケース２に対するユーザの指の接触は、静電容量の変動を引き起こす。静電容量のこの変動は、電子モジュールによって検出及び解釈される。
【００２２】
本発明による携帯物において、制御手段５は、タッチキーとも呼ばれる少なくとも１つの接触領域Ｐ１を含み、ユーザはこれを用いて接触を行い、上記少なくとも１つの電子デバイスに作用できる。好ましくは、制御手段は少なくとも２つの接触領域を含み、更に好ましくは、３つの接触領域Ｐ１、Ｐ２、Ｐ３を含む。
【００２３】
有利には、本発明は、タッチ制御手段５の使用がユーザにとって便利でありかつ電気的に効率的であることを提供する。
【００２４】
これを達成するために、電子モジュール６は、図２に見られるような２つの異なる動作モードにおいて動作するよう配設される。電子モジュール６は、現在時刻が表示される第１の、所謂通常動作モード、及びユーザがデバイスの様々な機能を起動できる第２の、所謂機能動作モードにおいて動作するよう配設される。
【００２５】
第１の動作モードにおいて、電子モジュール６は、タッチキーを第１の周波数ｆ１において走査する。この周波数は好ましくは、１〜６Ｈｚの範囲となるよう選択される。好ましくは、２Ｈｚの周波数が選択される。この周波数は低く、従って極めて僅かな電気的エネルギしか使用しない。
【００２６】
この第１の動作モードにおいて、アクティブな機能は現在時刻機能のみであるため、他の機能を選択及び起動できない。よってタッチキーに対する複雑な操作は不要である。よってこの第１の周波数ｆ１は、第１の動作モードから第２の動作モードへの変更のために使用される。
【００２７】
第２の動作モードに変更するためには、タッチキーのうちの少なくとも１つに対する接触を検出するだけでよい。この接触は、タップ又は軽いタッチであってよい。１回の接触しか必要でないため、これは高い走査周波数を必要とせず、低い走査周波数はこのような接触を検出するのに十分である。１つ又は２つのタッチキーとの接触が存在する場合、電子モジュール６はこの接触を検出し、第１の動作モードから第２の動作モードへの変更を開始することが理解される。
【００２８】
電子デバイスの他の機能を起動するための第２の動作モードは、第２の走査周波数ｆ２を特徴とする。この第２の走査周波数ｆ２は、第１の動作モードの走査周波数である第１の走査周波数ｆ１より高くなるよう選択される。
【００２９】
好ましくは、この第２の走査周波数ｆ２は、３０〜１００Ｈｚの範囲内となるよう選択され、好ましくはこの周波数は６４Ｈｚである。
【００３０】
この第２の走査周波数ｆ２は、異なる複数のタッチキーを次々と起動する指又は迅速な複数の押下の検出といった、複雑な動作を可能としなければならないため、高い。
【００３１】
実際、「スライディング（ｓｌｉｄｉｎｇ）」としても公知である、異なる複数のキーの連続的な起動といった複雑な操作の間、ユーザの指によるタッチキーに対する２回の接触の間の時間間隔は比較的短い。従って、押下の検出は確実でなければならない。走査周波数の増大により、タッチキーの２つの静電容量の監視による確認の間の時間が削減される。このように２つの監視による確認の間の時間が削減されることにより、エラーのリスクを低下させながら、迅速な複数の押下の検出をより容易にする。
【００３２】
その結果として、電子モジュールは、電力消費を制限しながら恒常的に起動される表示スクリーンを提供することにより、電力消費及びユーザの快適性を最適化する。
【００３３】
添付の請求項によって定義される本発明の範囲を逸脱することなく、上述した本発明の様々な実施形態に対して、当業者には明らかな様々な変更及び／又は改良及び／又は組み合わせを行ってよいことは明らかだろう。
【手続補正２】
【補正対象書類名】特許請求の範囲
【補正対象項目名】全文
【補正方法】変更
【補正の内容】
【特許請求の範囲】
【請求項１】
ガラス及び裏蓋を備えるケース（２）を含む、電子デバイス（１）であって、
前記電子デバイスは、現在時刻を計算するよう、複数の機能を実行するよう、並びに前記ガラスの下側に配置された表示手段（３）に前記現在時刻及び前記複数の機能に関する情報を提供するよう配設された、少なくとも１つの電子モジュール（６）を含み、
前記電子デバイスは、ユーザが前記少なくとも１つの電子モジュールに作用できるようにする少なくとも１つの接触領域（Ｐ１）を備える制御手段（５）を含み、
前記少なくとも１つの接触領域は、ある走査周波数において前記電子モジュールによって監視される、電子デバイス（１）において、
前記電子デバイスは、前記電子モジュールが、前記現在時刻が表示され、前記少なくとも１つの接触領域が第１の走査周波数（ｆ１）において監視され、前記第１の走査周波数はゼロでない、第１の動作モードにおいて動作するよう、及び前記ユーザが前記機能を起動でき、前記少なくとも１つの接触領域は前記第１の走査周波数より高い第２の走査周波数（ｆ２）において監視される、第２の動作モードにおいて動作するよう、配設されることを特徴とする、電子デバイス（１）。
【請求項２】
前記制御手段（５）は、少なくとも２つの接触領域（Ｐ１、Ｐ２）を含むことを特徴とする、請求項１に記載の電子デバイス。
【請求項３】
前記第１の動作モードから前記第２の動作モードへの変更は、前記少なくとも１つの接触領域に対する接触によって達成されることを特徴とする、請求項１又は２に記載の電子デバイス。
【請求項４】
前記制御手段（５）は３つの接触領域（Ｐ１、Ｐ２、Ｐ３）を含むことを特徴とする、請求項１に記載の電子デバイス。
【請求項５】
前記第１の動作モードから前記第２の動作モードへの変更は、前記少なくとも２つの接触領域のうちの２つに対する接触を検出することによって達成されることを特徴とする、請求項１に記載の電子デバイス。
【請求項６】
前記第１の走査周波数は１Ｈｚ〜６Ｈｚの範囲に含まれることを特徴とする、請求項１〜５のいずれか１項に記載の電子デバイス。
【請求項７】
前記第１の走査周波数は２Ｈｚであることを特徴とする、請求項６に記載の電子デバイス。
【請求項８】
前記第２の走査周波数は３０Ｈｚ〜１００Ｈｚの範囲に含まれることを特徴とする、請求項１〜５のいずれか１項に記載の電子デバイス。
【請求項９】
前記第２の走査周波数は６４Ｈｚであることを特徴とする、請求項８に記載の電子デバイス。
【請求項１０】
前記デバイスは腕時計であることを特徴とする、請求項１に記載の電子デバイス。
【国際調査報告】
2016524692.tif 000006
2016524692.tif 000007
2016524692.tif 000008
2016524692.tif 000009